(57)【要約】【課題】  膝のねじれを矯正することができる膝サポーターを提供すること。【解決手段】  少なくとも膝裏を被覆する伸縮自在な膝裏被覆部２と、膝裏被覆部２の両側にそれぞれ連設され膝の前部において相互に接離自在とされている１対の伸縮自在な包囲片１１Ａ，１１Ｂからなる第１膝包囲部１０と、膝裏被覆部２の両側にそれぞれ連設され膝の前部において相互に接離自在とされている１対の伸縮自在な包囲片２６Ａ，２６Ｂからなる第２膝包囲部２５とを有し、膝裏被覆部２における相互に異なる側に位置する両膝包囲部１０，２５の一方の包囲片１１Ａ，２６Ａには、この包囲片１１Ａ，２６Ａを対応する他方の包囲片１１Ｂ，２６Ｂに固定する固定具１７，３２が取付けられている膝サポーター１。【選択図】      図１
2008245989.tif 000002
【特許請求の範囲】
【請求項１】
少なくとも膝裏を被覆する伸縮自在な膝裏被覆部と、
前記膝裏被覆部の両側にそれぞれ連設され膝の前部において相互に接離自在とされている１対の伸縮自在な包囲片からなる第１膝包囲部と、
前記膝裏被覆部の両側にそれぞれ連設され膝の前部において相互に接離自在とされている１対の伸縮自在な包囲片からなる第２膝包囲部とを有し、
前記膝裏被覆部における相互に異なる側に位置する前記両膝包囲部の一方の包囲片には、この包囲片を対応する他方の包囲片に固定する固定具が取付けられていることを特徴とする膝サポーター。
【請求項２】
前記固定具は面ファスナーの鈎側ファスナーとされており、各膝包囲部の他方の包囲片の前記鈎側ファスナーが接触する部位は、前記鈎側ファスナーが接着されうる材質により形成されていることを特徴とする請求項１に記載の膝サポーター。
【請求項３】
前記膝裏被覆部の両側縁には、各側縁の長手方向に沿って直線状樹脂製板ばねが配設されていることを特徴とする請求項１または請求項２に記載の膝サポーター。
【発明の詳細な説明】
【技術分野】
【０００１】
本発明は、膝に巻回して膝を保護するための膝サポーターに係り、特に、テーピングの技術を応用して膝に対する衝撃を緩衝するとともに、膝のねじれを吸収しうるようにした膝サポーターに関する。
【背景技術】
【０００２】
膝を保護するための膝サポーターには、従来から種々のものがある。例えば、筒状とされており、つま先を挿入して徐々にふくらはぎから引き上げて膝の外周に装着する筒状膝サポーターや、膝の外周に巻回したうえで固定するようにした巻回型膝サポーターが知られている。
【０００３】
この巻回型膝サポーターの一例としては、ゴム製の薄層物からなる帯状体の両側に、それぞれ上下各１対の舌片部を突設し、前記帯状体の１側の１対の舌片部にそれぞれ面ファスナーの鈎側ファスナーを取り付けるとともに、前記帯状体の他側の１対の舌片部にそれぞれ面ファスナーの被係合側ファスナーを取付けるようにしたものがある（特許文献１）。
【０００４】
【特許文献１】特開平９−２３８９７４号公報
【発明の開示】
【発明が解決しようとする課題】
【０００５】
ところで、先の細い靴やハイヒールを長期間履き続けている女性に多くみられる、足の親指が第２指の方へ屈曲した状態になる外反母趾の場合、膝の下部に外側への力が作用するとともに、膝の上部に内側への力が作用するという膝にねじれが発生することになる。
【０００６】
しかしながら、前述した特許文献１に記載の膝サポーターにおいては、帯状体の１側の１対の舌片部にそれぞれ面ファスナーの鈎側ファスナーが取付けられており、この鈎側ファスナーを備えている舌片部が引っ張られる状態で固定されることになるので、膝の上部および下部のそれぞれに膝の周方向における同一方向の力が作用してしまうことになる。
【０００７】
この結果、特許文献１に記載の膝サポーターによっては、膝のねじれを矯正するための力を作用させることができないという問題点がある。
【０００８】
そこで、本発明は、このような従来のことにおける問題点を克服し、膝のねじれを矯正することができる膝サポーターを提供することを目的とする。
【課題を解決するための手段】
【０００９】
前述した目的を達成するため、本発明の請求項１に係る膝サポーターの特徴は、少なくとも膝裏を被覆する伸縮自在な膝裏被覆部と、前記膝裏被覆部の両側にそれぞれ連設され膝の前部において相互に接離自在とされている１対の伸縮自在な包囲片からなる第１膝包囲部と、前記膝裏被覆部の両側にそれぞれ連設され膝の前部において相互に接離自在とされている１対の伸縮自在な包囲片からなる第２膝包囲部とを有し、前記膝裏被覆部における相互に異なる側に位置する前記両膝包囲部の一方の包囲片には、この包囲片を対応する他方の包囲片に固定する固定具が取付けられている点にある。
【００１０】
そして、このような構成を採用したことにより、膝の下部に対向し固定部を備えている膝包囲部の包囲片を膝の内側に引張って対応する他方の包囲片に固定するとともに、膝の上部に対向し固定部を備えている膝包囲部の包囲片を膝の外側に引張って対応する他方の包囲片に固定することにより、膝の下部に外側への力が作用するとともに、膝の上部に内側への力が作用するという外反母趾による膝へのねじれ力に抗する力を膝に付与することができる。
【００１１】
本発明の請求項２に係る膝サポーターの特徴は、前記各膝包囲部の一方の包囲片には、面ファスナーの鈎側ファスナーが取付けられており、各膝包囲部の他方の包囲片の前記鈎側ファスナーが接触する部位は、前記鈎側ファスナーが接着されうる材質により形成されている点にある。
【００１２】
そして、このような構成を採用したことにより、面ファスナーの鈎側ファスナのみを用いて各膝包囲部の両包囲片を接着することができる。
【００１３】
本発明の請求項３に係る膝サポーターの特徴は、前記膝裏被覆部の両側縁に、各側縁の長手方向に沿って直線状の樹脂製板ばねが配設されている点にある。
【００１４】
そして、このような構成を採用したことにより、１対の板ばねにより膝の横揺れを防止して膝を固定することができる。
【発明の効果】
【００１５】
本発明によれば、それぞれ伸縮自在な膝裏被覆部および両膝包囲部により膝を包囲するとともに、外反母趾による膝へのねじれ力に抗する力を膝に付与することができるため、膝を良好に保護することができる。
【００１６】
また、固定具として面ファスナーの鈎側ファスナーのみを用いて各膝包囲部の両包囲片を固定することができるので、安価な固定具とすることができる。
【００１７】
さらに、１対の直線状樹脂製板ばねが十分に撓んで膝の横揺れを防止して膝を固定することができるので、さらに良好に膝を保護することができる。
【発明を実施するための最良の形態】
【００１８】
図１は本発明に係る膝サポーターの実施形態を示す正面図、図２は図１の背面図である。
【００１９】
これらの図１および図２において、膝サポーター１は、左右における中央に位置し、膝裏から膝の両側部を被覆する膝裏被覆部２を有している。この膝裏被覆部２の両側縁３Ａ，３Ｂは、相互に等長かつ平行で直線状をなしている。また、この膝裏被覆部２の頂縁４は、左右における中央部が下方に位置する凹形の彎曲状に形成されている。さらに、この膝裏被覆部２の底縁５は、左右における中央部が上方に位置する凹形の彎曲状に形成されている。
【００２０】
そして、この膝裏被覆部２は、表裏２枚の樹脂製の布地６，６を外周縁にて縫い合わせるようにして形成されている。各布地６は、一例としてナイロン７６重量％およびポリウレタン２４重量％からなる繊維を織った織物から構成されている。この布地６は、伸縮性、弾力性ならびに通気性を有しており、このうちの伸縮性により当接している筋肉の動きを補助し、動きやすくしている。
【００２１】
前記膝裏被覆部２の両側の各上端から下端部にかけてにそれぞれ連設され膝の前部において相互に接離自在とされている１対の伸縮自在な包囲片１１Ａ，１１Ｂからなる第１膝包囲部１０が連設されている。前記各包囲片１１Ａ，１１Ｂは、前記膝裏被覆部２の頂縁４に連なるほぼ水平方向の頂縁１２Ａ，１２Ｂと、各頂縁１２Ａ，１２Ｂの先端部から下方に彎曲している彎曲縁１３Ａ，１３Ｂと、各彎曲縁１３Ａ，１３Ｂの下端から斜め下方に延在し、前記膝裏被覆部２のいずれかの側縁３に連なる傾斜縁１４Ａ，１４Ｂとを有している。
【００２２】
前記膝裏被覆部２の左側縁３Ａに連なる前記第１膝包囲部１０の包囲片１１Ａは、別々の材質からなる表裏２枚の樹脂製の布地１５，１６を外周縁にて縫い合わせるようにして形成されている。
【００２３】
このうち、表面に位置する布地１５は、前述した布地６と同様の材質からなり、伸縮性、弾力性ならびに通気性を有するように形成されている。また、裏面に位置し肌に接触する布地１６は、一例としてナイロン５２重量％およびポリウレタン４８重量％からなる繊維を織った織物から構成されている。この布地１６は、高い伸縮性および伸縮回復性を有しているほか、弾力性および通気性にも富んでおり、さらには、滑り止め効果も有している。
【００２４】
また、前記包囲片１１Ａの布地１６の前記彎曲縁１３Ａの近傍には、固定具の一例としての面ファスナーの鈎側ファスナー１７が縫製により取付けられている。
【００２５】
一方、前記膝裏被覆部２の右側縁３Ｂに連なる前記第１膝包囲部１０の包囲片１１Ｂは、別々の材質からなる表裏２枚の布地１８，１９を外周縁にて縫い合わせるようにして形成されている。
【００２６】
このうち、表面に位置する布地１８は、表面に起毛加工が施されたパイル地とされており、一例としてナイロン９４重量％およびポリウレタン６重量％から構成されている。この布地１８には、多数の小孔が形成されており、通気性および伸縮性を得るようになっている。この布地１８の起毛加工により、前記包囲片１１Ａの布地１６の鈎側ファスナー１７が着脱自在に布地１８に接着されるようになっている。また、裏面に位置し肌に接触する布地１９は、前記布地６，１５と同様の材質からなり、伸縮性、弾力性ならびに通気性を有するように形成されている。
【００２７】
前記膝裏被覆部２の両側の各下端から上端部にかけてそれぞれ連設され膝の前部において相互に接離自在とされている１対の伸縮自在な包囲片２６Ａ，２６Ｂからなる第２膝包囲部２５が連設されている。これらの包囲片２６Ａ，２６Ｂは、前記第１膝包囲部の各包囲片１１Ａ，１１Ｂより外側に位置している。前記各包囲片２６Ａ，２６Ｂは、前記膝裏被覆部２の底縁５に連なるほぼ水平方向の底縁２７Ａ，２７Ｂと、各底縁２７Ａ，２７Ｂの先端部から上方に彎曲している彎曲縁２８Ａ，２８Ｂと、各彎曲縁２８Ａ，２８Ｂの上端から斜め上方に延在し、前記膝裏被覆部２のいずれかの側縁３に連なる傾斜縁２９Ａ，２９Ｂとを有している。
【００２８】
前記膝裏被覆部２の右側縁３Ｂに連なる前記第２膝包囲部２５の包囲片２６Ａは、別々の材質からなる表裏２枚の樹脂製の布地３０，３１を外周縁にて縫い合わせるようにして形成されている。
【００２９】
このうち、表面に位置する布地３０は、前述した布地６，１５と同様の材質からなり、伸縮性、弾力性ならびに通気性を有するように形成されている。また、裏面に位置し肌に接触する布地３１は、前記布地１６と同様の材質からなり、高い伸縮性および伸縮回復性を有しているほか、弾力性および通気性にも富んでおり、さらには、滑り止め効果も有している。
【００３０】
また、前記包囲片２６Ａの布地３１の前記彎曲縁２８Ａの近傍には、固定具の一例としての面ファスナーの鈎側ファスナー３２が縫製により取付けられている。
【００３１】
一方、前記膝裏被覆部２の左側縁３Ａに連なる前記第２膝包囲部２５の包囲片２６Ｂは、別々の材質からなる表裏２枚の布地３３，３４を外周縁にて縫い合わせるようにして形成されている。
【００３２】
このうち、表面に位置する布地３３は、前記布地１８と同様の材質からなり、通気性および伸縮性を得るようになっている。この布地３３の起毛加工により、前記包囲片２６Ａの布地３１の鈎側ファスナー３２が着脱自在に布地３３に接着されるようになっている。また、裏面に位置し肌に接触する布地３４は、前記布地６，１５，１９と同様の材質からなり、伸縮性、弾力性ならびに通気性を有するように形成されている。
【００３３】
さらに、前記膝裏被覆部２の両側縁３Ａ，３Ｂには、それぞれ上下方向に延在する直線状の樹脂製の板ばね４０，４０が埋設されている。各板ばね４０は、膝の動きに追従して膝の外形に沿うように良好に弾性変形されるので、膝の横揺れを防止して膝を安定的に固定することができる。
【００３４】
また、各板ばね４０は樹脂製であり、空港における搭乗の際のセキュリティーチェックにも反応しないので、チェックを受ける際にいちいちサポーターを外す必要がない。
【００３５】
つぎに、前述した構成からなる本実施形態の作用について説明する。
【００３６】
前述した実施形態の膝サポーター１を左膝に装着するには、まず、膝サポーター１の膝裏被覆部２の左右の中央部を膝裏に当て、第２膝包囲部２５の各包囲片２６Ａ，２６Ｂより内側にある第１膝包囲部１０の各包囲片１１Ａ，１１Ｂを左膝の前部に巻付ける。すると、第１膝包囲部１０が連設されている膝裏被覆部２の特に上部および前記第１膝包囲部１０の各包囲片１１Ａ，１１Ｂがそれぞれ伸長して左膝の全周を包囲することになる。
【００３７】
そこで、前記第１膝包囲部１０の包囲片１１Ａの裏面の布地１６に取付けられている鈎側ファスナー１７を包囲片１１Ｂの表面の布地１８に接着することにより、第１膝包囲部１０の両包囲片１１Ａ，１１Ｂが連結されることになる。
【００３８】
その後、第２膝包囲部２５の各包囲片２６Ａ，２６Ｂを左膝の前部に巻付ける。すると、特に上部がすでに伸長状態にある前記膝裏被覆部２の特に下部および前記第２膝包囲部２５の各包囲片２６Ａ，２６Ｂが伸長して左膝の全周を包囲することになる。
【００３９】
同様にして、前記第２膝包囲部１０の包囲片２６Ａの裏面の布地３１に取付けられている鈎側ファスナー３２を包囲片２６Ｂの表面の布地３３に接着することにより、第２膝包囲部２５の両包囲片２６Ａ，２６Ｂが連結されることになる。
【００４０】
このようにして本実施形態の膝サポーター１が左膝に装着された状態が図３および図４に示されている。このように膝サポーター１は簡単に装着できるし、それぞれ伸縮性を有する膝裏被覆部２および両膝包囲部１０，２５により膝を安定的に保護することができる。
【００４１】
しかも、この状態において、図４に詳示するように、左膝の上部を包囲している第１膝包囲部１０においては、鈎側ファスナー１７を備えている包囲片１１Ａが左側から包囲片１１Ｂに接着されているので、第１膝包囲部１０には平面視において矢印Ａで示す右方向の力が作用することになる。
【００４２】
一方、左膝の下部を包囲している第２膝包囲部２５においては、鈎側ファスナー３２を備えている包囲片２６Ａが右側から包囲片２６Ｂに接着されているので、第２膝包囲部２５には平面視において矢印Ｂで示す左方向の力が作用することになる。
【００４３】
したがって、左膝の下部に外側への力が作用するとともに、左膝の上部に内側への力が作用するという外反母趾による左膝へのねじれ力に抗する力を左膝に付与することができる。なお、右膝へ膝サポーターを装着するには、本実施形態の膝サポーター１と左右において面対称の膝サポーターを用意すれば非常に効果的であるが、この実施形態の膝サポーター１をそのまま右膝に装着しても所定の効果はある。
【００４４】
また、膝サポーター１の膝裏被覆部２の両側には、樹脂製で直線状の板ばね４０がそれぞれ上下方向に配設されているので、可撓性を有する１対の板ばね４０，４０により膝の両側を固定することになり、膝の横揺れを防止して膝を固定することができる。しかも、各板ばね４０は、直線状に形成されているので、種々の形状の膝に撓んでなじむことができる。さらに、前述したように、各板ばね４０は樹脂製であり、空港における搭乗の際のセキュリティーチェックにも反応しないので、チェックを受ける際にいちいちサポーターを外す必要がない。
【００４５】
さらに、起毛加工が施されている布地１８，３３に面ファスナーの鈎側ファスナー１７，３２を着脱自在に接着することができるので、面ファスナーのループ側ファスナーを設けることなく、面ファスナーとしての機能を有することになるため、安価でしかも軽量化をはかることができる。
【００４６】
なお、この膝サポーター１を外すには、各鈎側ファスナー１７，３２を布地１８，３３から解離させればよい。
【００４７】
また、本発明は、前述した実施の形態に限定されるものではなく、必要に応じて種々の変更が可能である。例えば、本発明の実施形態において膝裏被覆部２は膝裏から膝の両側部を被覆するように説明したが、膝裏被覆部は膝裏のみを被覆し、両膝包囲部が膝の両側部から前部を被覆するようにしてもよい。さらに、膝裏被覆部および各膝包囲部の材質は、伸縮性や通気性などがあれば実施形態のものに限定されるものではない。
【図面の簡単な説明】
【００４８】
【図１】本発明に係る膝サポーターの実施形態を示す正面図
【図２】図１の背面図
【図３】図１の膝サポーターを膝に装着した状態を示す右斜め後方からの図
【図４】図１の膝サポーターを膝に装着した状態を示す左斜め前方からの図
【符号の説明】
【００４９】
１  膝サポーター
２  膝裏被覆部
６  膝裏被覆部２の表裏の布地
１０  第１膝包囲部
１１Ａ，Ｂ  包囲片
１５  包囲片１１Ａの表面の布地
１６  包囲片１１Ａの裏面の布地
１７  鈎側ファスナー
１８  包囲片１１Ｂの表面の布地
１９  包囲片１１Ｂの裏面の布地
２５  第２膝包囲部
２６Ａ，Ｂ  包囲片
３０  包囲片２６Ａの表面の布地
３１  包囲片２６Ａの裏面の布地
３２  鈎側ファスナー
３３  包囲片２６Ｂの表面の布地
３４  包囲片２６Ｂの裏面の布地
４０  樹脂製板ばね  
【図１】
2008245989.tif 000003
【図２】
2008245989.tif 000004
【図３】
2008245989.tif 000005
【図４】
2008245989.tif 000006